(57)【要約】      （修正有）【課題】仕上がりサイズがＡ４版のメール便や封書或いは郵便はがきに使用する際に、製本部分における葉片同士の接着が容易に剥離して脱落することがなく、素人でも容易に製造することができる製本型郵便情報通信体及びその製造方法を提供する。【解決手段】縦方向の折り線５を介して横方向に連接された第一葉片１と第二葉片２及び第三葉片３と第四葉片４が、第一葉片と第三葉片及び第二葉片と第四葉片が対向するように横方向の折り線７を介して縦方向に連接された４葉片からなる単位シートを折り畳み、対向葉片同士を剥離可能或いは剥離不能に接着した製本型情報通信体Ｊ１で、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開されることを特徴とした製本型情報通信体Ｊ１。【選択図】図１
2019034538.tif 000002
【特許請求の範囲】
【請求項１】
縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開されることを特徴とした製本型情報通信体。
【請求項２】
横方向の折り線により袋とじ状態の縁辺を切除したことを特徴とした請求項１に記載の製本型情報通信体。
【請求項３】
縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体の製造方法であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開される製本型情報通信体の製造法であり、
前記４葉片からなる単位シートが印刷されたシートを繰り出すシートの繰り出し工程と、
前記シートの繰り出し工程により繰り出されたシートに印刷された単位シートの疑似接着予定面に疑似接着フィルムシートを被覆すると共に完全接予定面に完全接着フィルムシートを被覆する被覆工程と、
前記疑似接着フィルムシート及び完全接着フィルムシートが被覆されたシートの縦方向の余白を切除すると共に縦方向の折り線に折り手段を形成する切除及び折り手段形成工程と、
縦方向の余白が切除されると共に縦方向の折り線に折り手段が形成されたシートを縦方向の折り線から第一葉片と第三葉片がそれぞれ第二葉片と第四葉片と対向するように二つ折りに折り畳む第一の折り畳み工程と、
前記第一の折り畳み工程により折り畳まれたシートを単位シート毎に切り出す切り出し工程と、
前記切り出し工程により切り出された単位シートを横方向の折り線から第二葉片と第四葉片が対向するように二つ折りに折り畳む第二の折り畳み工程と、
前記第一及び第二の折り畳み工程により対向した疑似接着予定面及び完全接着面同士を接着する接着工程とからなることを特徴とした製本型情報通信体の製造方法。
【請求項４】
横方向の折り線により袋とじ状態の縁辺を切除する切除工程が接着工程の上流或いは下流に配置されていることを特徴とした請求項３に記載の製本型情報通信体の製造方法。
【請求項５】
請求項３又は４の何れかに記載の製本型情報通信体の製造方法において、シートの縦方向の余白を切除する工程が被覆工程の上流及び／又は下流側に配置されていることを特徴とした製本型情報通信体の製造方法。
【請求項６】
請求項３乃至５の何れかの製本型情報通信体の製造方法において、折り手段形成工程が被覆工程の上流及び／又は下流側に配置されていることを特徴とした製本型情報通信体の製造方法。
【請求項７】
請求項３乃至６の何れかの製本型情報通信体の製造方法において、単位シートの折り線に折り手段が形成されないことを特徴とした製本型情報通信体の製造方法。
【請求項８】
縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体の製造方法であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開される製本型情報通信体の製造法であり、
疑似接着手段及び完全接着手段を形成すると共に単位シートを印刷したシートから単位シートを切り出す単位シートの切り出し工程と、
切り出された単位シートを縦横方向の折り線から折り畳む折り畳み工程と、
折り畳まれた単位シートの対向する疑似接着予定面同士及び完全接着面同士を接着する接着工程とからなることを特徴とした製本型情報通信体の製造方法。
【請求項９】
縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体の製造方法であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開される製本型情報通信体の製造法であり、
前記４葉片からなる単位シートが印刷されたシートの前記単位シートの疑似接着予定面に疑似接着手段を形成すると共に完全接予定面に完全接着手段体を形成する接着手段の形成工程と、
前記接着手段が形成されたシートから単位シートを切り出す単位シートの切り出し工程と、
切り出された単位シートを縦横方向の折り線から折り畳む折り畳み工程と、
折り畳まれた単位シートの対向する疑似接着予定面同士及び完全接着面同士を接着する接着工程とからなることを特徴とした製本型情報通信体の製造方法。
【請求項１０】
請求項８又は９の何れかの製本型情報通信体の製造方法において、単位シートの切り出し工程と折り畳み工程の順序を入れ替えて、折り畳み工程の後に単位シートの切り出し工程が配置されていることを特徴とした製本型情報通信体の製造方法。
【請求項１１】
製本型情報通信体が郵便はがきであることを特徴とした請求項１に記載の製本型情報通信体。
【請求項１２】
製本型情報通信体が郵便はがきであることを特徴とした請求項３乃至１０の何れかに記載の製本型情報通信体の製造方法。
【発明の詳細な説明】
【０００１】  本発明は複数の葉片を折り畳み剥離可能に一体化した情報通信体とその製造方法に関する。
さらに詳しくは、剥離後に各葉片が見開き状態に展開され製本状態となる製本型情報通信体及びその製造方法に関する。
【背景技術】
【０００２】  最近パンフレットやチラシを折り畳み剥離可能に一体化したダイレクトメールを、郵送や配送により受取人へ送付する広告宣伝手段が採用されている。そのようなものとして例えば特開２０１３−８６５０７号公報に記載される情報通信体の製本手段及びそれを用いた製本型郵便はがき及びその製造方法がある。
【先行技術文献】
【特許文献】
【０００３】
【特許文献１】特開２０１３−８６５０７号公報
【発明の概要】
【発明が解決しようとする課題】
【０００４】  前記特許文献の発明は、一つの情報通信体において異なる性質（感熱性、感圧性、感湿性、粘着剤等）の接着剤を使用することなく、さらに疑似接着と完全接着の両者を同一処理条件（加熱・加圧処理）で実行することを可能としたものである。そして少なくとも２種類の接着剤により製造可能であった従来の製本タイプの情報通信体を、１種類の疑似接着媒体のみにより実行可能としたものである。【０００５】  然るに前記製本型郵便はがきは、製本手段に貫通孔とそれに被覆されて露出した各種フィルムシートの接着剤を利用している。従って貫通孔を設ける工程が増え不経済であること、また前記貫通孔を通して製本状態を形成するに当たり用紙の厚みが影響して、ヒートローラ等の加熱・加圧手段では前記貫通孔に露出した各種フィルムシートの接着剤に十分に熱や圧力を加えることができず、完成した製本部分が容易に脱落してしまう等の事故が発生する。【０００６】  また前記製本型情報通信体を郵便はがきに使用する場合、全体重量が２〜６ｇ以内であり且本体となる中央の葉片が２〜６ｇ以内であることとする日本郵便株式会社の郵便約款の条件を満足する必要がある。しかしながら前記条件を満足させるには、連接している各葉片と被覆されるフィルムシートの微妙な重量を調整する必要があり実現は容易でない。【０００７】  本発明は上記問題に鑑み、仕上がりサイズがＡ４伴のメール便や封書或いは郵便はがきに使用する際に、製本部分における葉片同士の接着が容易に剥離して脱落することがなく、特に郵便はがきとして使用する場合、日本郵便株式会社の内国郵便約款を問題なく充足し、また素人でも容易に製造することができる製本型郵便情報通信体及びその製造方法を提供することを目的としている。
【課題を解決するための手段】
【０００８】  上記目的を達成するために、本発明の製本型情報通信体は、縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開されることを特徴としている。【０００９】  なお、本発明の製本型情報通信体は、横方向の折り線で最終的に二つ折りされる。そして前記折り畳まれた縁辺は袋とじ状態となり、受取人が鋏やカッター等の切除道具を用いて除去することにより初めて展開することが可能になる。従って、受取人の手間を省くため、前記袋とじ状態の縁辺を予め切除しておいても構わない。【００１０】    また上記目的を達成するために、本発明の製本型情報通信体の製造方法は、縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体の製造方法であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開される製本型情報通信体の製造法であり、前記４葉片からなる単位シートが印刷されたシートを繰り出すシートの繰り出し工程と、  前記シートの繰り出し工程により繰り出されたシートに印刷された単位シートの疑似接着予定面に疑似接着フィルムシートを被覆すると共に完全接予定面に完全接着フィルムシートを被覆する被覆工程と、前記疑似接着フィルムシート及び完全接着フィルムシートが被覆されたシートの縦方向の余白を切除すると共に縦方向の折り線に折り手段を形成する切除及び折り手段形成工程と、縦方向の余白が切除されると共に縦方向の折り線に折り手段が形成されたシートを縦方向の折り線から第一葉片と第三葉片がそれぞれ第二葉片と第四葉片と対向するように二つ折りに折り畳む第一の折り畳み工程と、前記第一の折り畳み工程により折り畳まれたシートを単位シート毎に切り出す切り出し工程と、前記切り出し工程により切り出された単位シートを横方向の折り線から第二葉片と第四葉片が対向するように二つ折りに折り畳む第二の折り畳み工程と、前記第一及び第二の折り畳み工程により対向した疑似接着予定面及び完全接着面同士を接着する接着工程とからなることを特徴としている。【００１１】  前記製本型情報通信体の製造方法において、単位シートが印刷された長尺シート或いは枚葉シートから切り出すに当たり、縦方向（流れ方向）の余白を切除する工程を疑似接着フィルムシート及び完全接着フィルムシートの被覆工程の上流及び／又は下流側に配置しても構わない。例えばシートの繰り出しに際して縦方向の余白を切除しながら繰り出しても、或いは疑似接着フィルムシート及び完全接着フィルムシートの被覆前にシート外側の片方或いは両方の縦方向の余白を切除しても、さらに疑似接着フィルムシート及び完全接着フィルムシートが被覆された後に単位シートに切り出されるまでにシート外側の片方或いは両方の縦方向の余白を切除しても構わない。さらにシートが最上流に載置される際に既にシート外側の片方或いは両方の縦方向の余白が切除されていても構わない。【００１２】  また、前記製本型情報通信体の製造方法において、単位シートの折り線に折りミシンや折り筋等の折り手段を形成する時期は、前記縦方向の余白を切除する工程と同様で、疑似接着フィルムシート及び完全接着フィルムシートの被覆工程の上流及び／又は下流側に配置しても構わない。例えばシートの繰り出しに際して折り手段を形成しながら繰り出しても、或いは疑似接着フィルムシート及び完全接着フィルムシートの被覆前に形成しても、さらに疑似接着フィルムシート及び完全接着フィルムシートが被覆された後に形成しても構わない。さらにシートが最上流に載置される際に既に形成されていても構わない。【００１３】  さらにまた単位シートの折り線に形成される折りミシンや折り筋等の折り手段であるが、使用する用紙の種類、銘柄、斤量、折り目等の関係で、そのまま容易に且つ正確に折り畳める場合には、折り手段形成工程は省略することができる。【００１４】  本発明の製本型情報通信体を構成する葉片に使用されるシートは、上質紙、マット紙、コート紙、合成紙、樹脂フィルムシート、不織布等を使用することができる。また本発明の製本型情報通信体の製造にあたり、当初のシートの状態は複数の単位シートが長尺シートに印刷された状態でもよく、また単数或いは複数の単位シートが枚葉シートに印刷された状態でもよい。前記長尺シートと枚葉シートのシート形態の選択は、単位シートを印刷する印刷方式に適したシート形態を選択すればよい。【００１５】  本発明で使用する各葉片の疑似接着予定面に被覆される疑似接着フィルムシートは、例えばポリエチレンテレフタレートや二軸延伸ポリプロピレンを基材として、一方の面にＥＶＡやポリエチレン等からなる公知の感熱接着剤層を形成すると共に残るもう一方の面に疑似接着層を形成したプリントラミネートに対応したものを好適に使用することができる。【００１６】  前記疑似接着フィルムシートは、葉片の疑似接着予定面に感熱接着剤層を介して被覆される。そして疑似接着層同士が対向する状態に折り畳み加圧或いは加熱・加圧処理を施すと前記疑似接着層同士が剥離可能に接着する。その後対向面を剥離すると接着した疑似接着層の間から容易に剥離することができる。【００１７】  本発明の製本型情報通信体において、情報通信体の本体となる中央の二葉片を剥離不能に接着する製本手段として、対向する前記二葉片を完全接着フィルムシートを介して接着する手段が採用できる。そのような完全接着フィルムシートは、既述の疑似接着フィルムシートの疑似接着層に代えて完全接着層を形成したものを好適に使用することができる。このものは葉片の対向する完全接着予定面に感熱接着剤層を介して被覆される。そして折り畳まれて完全接着層同士が対向する状態で加圧或いは加熱・加圧処理を施すと前記完全接着層部分が剥離不能に接着される。【００１８】  また上記目的を達成するために、前記各種接着フィルムシート以外の接着手段による製本型情報通信体の製造方法は、縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体の製造方法であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開される製本型情報通信体の製造法であり、疑似接着手段及び完全接着手段を形成すると共に単位シートを印刷したシートから単位シートを切り出す単位シートの切り出し工程と、切り出された単位シートを縦横方向の折り線から折り畳む折り畳み工程と、折り畳まれた単位シートの対向する疑似接着予定面同士及び完全接着面同士を接着する接着工程とからなることを特徴としている。【００１９】  さらに、上記目的を達成するために、前記各種接着フィルムシート以外の接着手段と異なる接着手段による製本型情報通信体の製造方法は、縦方向の折り線を介して横方向に連接された第一葉片と第二葉片の２葉片と縦方向の折り線を介して横方向に連接された第三葉片と第四葉片の２葉片が、第一葉片と第三葉片及び第二葉片と第四葉片が対向するように横方向の折り線を介して縦方向に連接された４葉片からなる単位シートを折り畳み、任意の対向葉片同士を剥離可能或いは剥離不能に接着した製本型情報通信体の製造方法であって、上から第一葉片、第二葉片、第四葉片及び第三葉片の順に折り重ねられ、第一葉片と第二葉片間及び第四葉片と第三葉片間が剥離可能に接着されると共に第二葉片と第四葉片間が剥離不能に接着され、開封後に見開き状に展開される製本型情報通信体の製造法であり、前記４葉片からなる単位シートが印刷されたシートの前記単位シートの疑似接着予定面に疑似接着手段を形成すると共に完全接予定面に完全接着手段体を形成する接着手段の形成工程と、前記接着手段が形成されたシートから単位シートを切り出す単位シートの切り出し工程と、切り出された単位シートを縦横方向の折り線から折り畳む折り畳み工程と、折り畳まれた単位シートの対向する疑似接着予定面同士及び完全接着面同士を接着する接着工程とからなることを特徴としている。【００２０】  本発明の折り畳み郵便はがきの剥離可能な接着は、既述の疑似接着フィルムシートを用いたフィルム方式による疑似接着手段以外にも以下の各種疑似接着手段により実行することができる。
１）天然或いは合成ゴムを主剤とした疑似接着手段を印刷前の用紙に塗布、含侵させた      後に表面から印刷を施す、業界で先糊方式と呼ばれるもの。
２）印刷後の用紙表面に疑似接着性のＵＶ硬化ニスを塗布して疑似接着性の被膜を形成      する、業界で後糊方式と呼ばれるもの。
上記各種疑似接着手段が疑似接着予定面に形成された用紙は、折り畳まれ加圧或いは加熱・加圧処理を施すと剥離可能に接着する。【００２１】  また本発明の折り畳み郵便はがきの剥離不能な接着は、例えば感圧性、感熱性或いは乾湿性の接着剤を完全接着予定面に形成したり、疑似接着手段に使用する接着剤層を厚く設定したりしておけばよい。前記各種完全接着手段が完全接着予定面に形成された用紙は、折り畳まれ加圧、加熱・加圧或いは加湿等の処理を施すと剥離可能に接着する。なお疑似接着手段及び完全接着手段の接着処理条件を統一しておくことにより作業が極めて至便となり効率が上がる。
【発明の効果】
【００２２】  本発明の製本型情報通信体は、中央の２葉片が全面的な完全接着により一体化されると共に、前記２葉片のそれぞれの葉片と連接された葉片により製本状態が形成されるため、貫通孔等の不十分な接着による製本と異なり、製本部分における葉片の脱落等の事故は起こらない。【００２３】  また、疑似接着及び完全接着の接着手段の形成条件、疑似接着及び完全接着の実行条件を統一することにより加工条件が単純になり、装置がコンパクトになると共に製造作業が向上する。【００２４】  さらに本発明を製本型郵便はがきに適用すると、中央の郵便はがきの本体が２葉片からなると共に、前記郵便はがきの本体の両面に貼付される各葉片が１葉片のため、全体重量に占める郵便はがき本体の重量を容易に多くすることができる。従って全体重量が２〜６ｇ以内であり且本体となる中央葉片が２〜６ｇ以内であることとする日本郵便株式会社の郵便約款の条件を、中央葉片の重量を多くすることにより容易に満足することができる。
【図面の簡単な説明】
【００２５】
【図１】（Ａ）は製本型郵便はがきＪ１の表面図、（Ｂ）は（Ａ）における▲１▼−▲１▼線断面図、（Ｃ）は（Ａ）における▲２▼−▲２▼線断面図である。
【図２】（Ａ）は製本型郵便はがきＪ１の斜視図、（Ｂ）は開封に際して下側の縁辺を切り落し用ミシン模様１１に沿って切除した状態を示す斜視図である。
【図３】製本型郵便はがきＪ１の開封の様子を示す斜視図である。
【図４】（Ａ）は製本型郵便はがきＪ１の製造に使用する長尺シートＳ１の表面図、（Ｂ）は裏面図である。
【図５】長尺シートＳ１による製本型郵便はがきＪ１の製造方法で、前半の繰り出し工程から第一の折り畳み工程までの要部概略図である。
【図６】長尺シートＳ１による製本型郵便はがきＪ１の製造方法で、後半の切り出し工程から接着工程までの要部概略図である。
【図７】（Ａ）は被覆装置により完全接着予定面に完全接着フィルムシートＫが被覆された状態を表す長尺シートＳ１の表面図、（Ｂ）は疑似接着予定面に疑似接着フィルムシートＧが被覆された状態を表す長尺シートＳ１の裏面図である。
【図８】（Ａ）は切除装置により両外側のマージナル部分１０が切除されると共に折り手段形成装置により折り線５に折りミシンが形成された長尺シートＳ１の表面図、（Ｂ）は（Ａ）における▲３▼−▲３▼線断面図である。
【図９】（Ａ）は第一の折り畳み装置により第一葉片１と第三葉片３を折り線５から折り畳み第二葉片２と第四葉片４と重ね合わせた長尺シートＳ１の平面図、（Ｂ）は（Ａ）における▲４▼−▲４▼線断面図である。
【図１０】（Ａ）は製本型郵便はがきＪ１の製造に使用する枚葉シートＳ２の表面図、（Ｂ）は裏面図である。
【図１１】枚葉シートＳ２による製本型郵便はがきＪ１の製造方法で、前半の繰り出し工程から第一の折り畳み工程までの要部概略図である。
【図１２】（Ａ）は被覆装置により完全接着予定面に完全接着フィルムシートＫが被覆された状態を表す枚葉シートＳ２の表面図、（Ｂ）は疑似接着予定面に疑似接着フィルムシートＧが被覆された状態を表す枚葉シートＳ２の裏面図である。
【図１３】（Ａ）は切除装置により両外側の縦方向の余白Ｘが切除されると共に折り手段形成装置により折り線５に折りミシンが形成された枚葉シートＳ２の表面図、（Ｂ）は（Ａ）における▲５▼−▲５▼線断面図である。
【図１４】（Ａ）は第一の折り畳み装置により第一葉片１と第三葉片３を折り線５から折り畳み第二葉片２と第四葉片４と重ね合わせた枚葉シートＳ２の平面図、（Ｂ）は（Ａ）における▲６▼−▲６▼線断面図である。
【図１５】（Ａ）は製本型郵便はがきＪ２の表面図、（Ｂ）は（Ａ）における▲７▼−▲７▼線断面図、（Ｃ）は（Ａ）における▲８▼−▲８▼線断面図である。
【図１６】（Ａ）は製本型郵便はがきＪ２の斜視図、（Ｂ）は開封に際して下側縁辺及び左側縁辺を切り落し用ミシン模様３１に沿って切除した状態を示す斜視図である。
【図１７】製本型郵便はがきＪ２の開封の様子を示す斜視図である。
【図１８】（Ａ）は製本型郵便はがきＪ２の製造に使用する長尺シートＳ３の表面図、（Ｂ）は裏面図である。
【図１９】（Ａ）は被覆装置により完全接着予定面に完全接着フィルムシートＫが被覆された状態を表す長尺シートＳ３の表面図、（Ｂ）は疑似接着予定面に疑似接着フィルムシートＧが被覆された状態を表す長尺シートＳ３の裏面図である。
【図２０】切除装置により両外側のマージナル部分３０が切除されると共に折り手段形成装置により折り線２５に折りミシンが形成された長尺シートＳ３の表面図、（Ｂ）は（Ａ）における▲９▼−▲９▼線断面図である。
【図２１】（Ａ）は第一の折り畳み装置により第一葉片２１と第三葉片２３を折り線２５から折り畳み第二葉片２２、第四葉片２４とそれぞれ重ね合わせた長尺シートＳ３の平面図、（Ｂ）は（Ａ）における▲１０▼−▲１０▼線断面図である。
【図２２】（Ａ）は製本型郵便はがきＪ２の製造に使用する枚葉シートＳ４の表面図、（Ｂ）は裏面図である。
【図２３】（Ａ）は被覆装置により完全接着予定面に完全接着フィルムシートＫが被覆された状態を表す枚葉シートＳ４の表面図、（Ｂ）は疑似接着予定面に疑似接着フィルムシートＧが被覆された状態を表す枚葉シートＳ４の裏面図である。
【図２４】（Ａ）は切除装置により両外側の縦方向の余白Ｘが切除されると共に折り手段形成装置により折り線２５に折りミシンが形成された長尺シートＳ４の表面図、（Ｂ）は（Ａ）における▲１１▼−▲１１▼線断面図である。
【図２５】（Ａ）は第一の折り畳み装置により第一葉片２１と第三葉片２３を折り線２５から折り畳み第二葉片２２、第四葉片２４とそれぞれ重ね合わせた枚葉シートＳ４の平面図、（Ｂ）は（Ａ）における▲１２▼−▲１２▼線断面図である。
【発明を実施するための最良の形態】
【００２６】  以下本発明を、図面に沿って分かりやすく説明する。
なお、以下の実施例では、疑似接着手段として疑似接着フィルムシート、完全接着手段として完全接着フィルムシートをモデルケースとして記載するが、既述の他の疑似接着手段及び完全接着手段に代えても構わない。
また以下の実施例では、郵便はがきをモデルケースとして記載しているがそれ以外の形態、例えばチラシ、パンフレット、メール便、封書或いは郵便はがき等幅広く適用することが可能であることは言うまでもない。即ち実施例と共に記載される各図面に記載された表示やデザイン又はサイズが変わるだけで、構成においては全く同じである。
【実施例１】
【００２７】［製本型郵便はがきＪ１］
図１（Ａ）、（Ｂ）及び（Ｃ）に示すように、本発明の一形態を示す製本型郵便はがきＪ１は上から第一葉片１、第二葉片２、第四葉片４及び第三葉片３が折り線５（折りミシンが形成されているが必ずしも必要としない）及び折り線７（折りミシンが形成されているが必ずしも必要としない）から折り畳まれ重ねられている。なお各葉片の縦幅はほぼ同じであるが横幅の関係は図１（Ｂ）に示すように第一葉片１≒第三葉片３＜第二葉片２≒第四葉片４である。そして第一葉片１と第二葉片２間及び第四葉片４と第三葉片３間は疑似接着フィルムシートＧを介して剥離可能に接着されており、また第二葉片２と第四葉片４間は完全接着フィルムシートＫにより剥離不能に接着されている。なお前記完全接着フィルムシートＫは折り線５をまたいで第一葉片１及び第三葉片３側へ回り込むように被覆されている。【００２８】  本実施例の製本型郵便はがきＪ１は図１（Ａ）、（Ｂ）及び図２（Ａ）、（Ｂ）に示すように、郵便はがきの本体となる中央の第二葉片２と第四葉片４（両者は剥離不能に接着一体化されている）が、その横幅において第一葉片１及び第三葉片３よりも広く設計されているため左側縁辺が突出した状態となっている。そしてその突出して表出した面に「郵便はがき」或いはそれに準じる文言が視認可能な状態で記載されている。また図１（Ａ）、（Ｃ）に示す下側縁辺は図１（Ｃ）及び図２（Ａ）に示すように、第一葉片１と第三葉片３が折り線７から折り返された状態のため袋状に封緘された状態となっている。【００２９】  この製本型郵便はがきＪ１の受取人は図２（Ｂ）に示すように、下側縁辺に沿って記載されている切取落し用のミシン模様１１から、例えば鋏やカッター等の切除道具を用いて下側縁辺部分を切り落とす（予め切り落とされていても構わない）。そして図３に示すように中央の郵便はがき本体（第二葉片２及び第四葉片４）から第一葉片１及び第三葉片３を剥離して見開き状態に展開することができるのである。剥離展開後は内部に隠されていた状態を透明或いは半透明の疑似接着フィルムシートＧを透して視認することができる。
【実施例２】
【００３０】［製本型郵便はがきＪ１の長尺シートＳ１による製造方法］
図４（Ａ）及び（Ｂ）は本実施例の製本型郵便はがきＪ１を長尺シートにより製造する際に使用する長尺シートＳ１で、第一葉片１及び第二葉片２が縦方向の折り線５（折りミシン等の折り手段が形成されていないが形成されていても構わない）を介して横方向に連接されると共に、下方に同様の状態で連接されている第三葉片３及び第四葉片４が横方向の折り線７（折りミシンが形成されている）を介して上下の配置で連接されて単位郵便はがきシートｔ１を形成している。なお各葉片の縦幅はほぼ同じであるが横幅の関係は第一葉片１≒第三葉片３＜第二葉片２≒第四葉片４である。そして前記単位郵便はがきシートｔ１は両外側に切取線８を介して複数のマージナル孔９が設けられたマージナル部分１０を連接すると共に、天地で並行に並んでいる２本の横方向の切取線６に挟まれたセンサ読取用のマークＭの記載部分を介して縦方向に連接されている。
なお切り落とし用のミシン模様１１は図面の複雑化を避けるため省略している。【００３１】  既述の構成の長尺シートＳ１は、例えば切取線６（折りミシン等を形成しておいても構わない）から蛇腹状に折り畳まれてブロック状態となり、図５に示す製造工程最上流の左下にある用紙載せ台４０上に載置される。そして最上面の単位郵便はがきシートｔ１から順に上方のサポートローラ４１へ引き上げられると略水平に向きを変えて、右側に配置されているピントラクタ４２のピンとマージナル孔９を嵌合させ、更に右側に配置された一対のヒートローラ４３ａ、４３ｂからなる被覆装置へと送り込まれる。【００３２】  前記被覆装置では、上方及び下方に配置されている完全接着フィルムシートＫ及び疑似接着フィルムシートＧが繰り出され、図７（Ａ）及び（Ｂ）に示すように、それぞれ完全接着予定面及び疑似接着予定面に整合され被覆される。そして完全接着フィルムシートＫ及び疑似接着フィルムシートＧが被覆された長尺シートＳ１は、右側のバックアップローラ４５上に並列に配置されているスリット刃４４ａ及び折りミシン刃４４ｂからなる、切除及び折り手段形成装置へ送られる。【００３３】  前記切除及び折り手段形成装置では図８（Ａ）及び（Ｂ）に示すように、長尺シートＳ１の両外側のマージナル部分１０が切除されると共に縦方向の折り線５に折りミシンが形成される。そして右側に配置された一対のニップローラ４６ａ、４６ｂによりさらに右側に配置されている第一の折り畳み装置へと送り込まれる。【００３４】  前記第一の折り畳み装置では、下方のサポートローラ４７から上方のサポートローラ４８に引き上げられるまでに、図示されないガイド板やガイドバーにより図９（Ａ）及び（Ｂ）に示すように、縦方向の折り線５から第一葉片１と第二葉片２及び第三葉片３と第四葉片４が対向するように二つ折りに折り畳まれる。そして上方のサポートローラ４８で略水平に向きを変えると、引き続き図６に示すように、右側に配置されている一対のニップローラ４９ａ、４９ｂによりさらに右側に配置されている断裁刃５１ａと固定刃５１ｂからなる断裁装置へ送り込まれる。【００３５】  前記断裁装置では図９（Ａ）に示すように、通過する単位郵便はがきシートｔ１に記載された読取マークＭをセンサ５０が読み取ると、移動距離のカウントを開始し最初の切取線６を断裁する。そして引き続き前記移動距離のカウントは行われ次の切取線６を断裁して個別の単位郵便はがきシートｔ１が切り出される。この動作は後続の単位郵便はがきシートｔ１でも行われ、このようにして順次単位郵便はがきシートｔ１が切り出されるのである。そして既述の通り個別に切り出された単位郵便はがきシートｔ１は、右側の折りローラ５２ａ、５２ｂ、５２ｃと折りトレー５３からなる第二の折り畳み装置へ送り込まれる。【００３６】  前記第二の折り畳み装置では、折りローラ５２ａ５２ｂにより折りトレー５３内に送り込まれた単位郵便はがきシートｔ１はストッパ５４に当たると停止し、次に折りローラ５２ｂ、５２ｃにより折り線７から銜え込まれると、二つ折りに折り畳まれて図１（Ａ）、（Ｂ）及び（Ｃ）の状態になり、右側に配置されている一対の搬送ローラ５５ａ、５５ｂと上下一対のヒータパネル５６ａ、５６ｂが交互に配置されると共に、排出口に一対の加圧ローラ５７ａ、５７ｂが設けられた接着装置へと送り込まれる。【００３７】  前記接着装置では、ヒータパネル５６ａ、５６ｂ間を通過する単位郵便はがきシートｔ１は十分加熱されると共に一対の加圧ローラ５７ａ、５７ｂにより加圧されて排出される。前記加熱・加圧処理により図１（Ｂ）及び（Ｃ）に示す第一葉片１と第二葉片２間及び第四葉片４と第三葉片３間で対向する疑似接着フィルムシートＧ同士が剥離可能に接着されると共に、第二葉片２と第四葉片４間で対向する完全接着フィルムシートＫ同士が剥離不能に接着される。そして各種接着が完了して完成品となった製本型郵便はがきＪ１はベルトコンベア等からなるスタッカ５８に落とし込まれて順次集積された後に郵便はがきとして投函されるのである。
【実施例３】
【００３８】［製本型郵便はがきＪ１の枚葉シートＳ２による製造方法］
図１０（Ａ）及び（Ｂ）は本実施例の製本型郵便はがきＪ１を枚葉シートにより製造する際に使用する枚葉シートＳ２で、第一葉片１及び第二葉片２が縦方向の折り線５を介して横方向に連接されると共に、下方に同様の状態で連接されている第三葉片３及び第四葉片４が横方向の折り線７（折りミシンが形成されているが必ずしも必要としない）を介して上下の配置で連接されて単位郵便はがきシートｔ１を形成している。なお各葉片の縦幅はほぼ同じであるが横幅の関係は第一葉片１≒第三葉片３＜第二葉片２≒第四葉片４である。そして前記単位郵便はがきシートｔ１は、その周囲が縦方向の余白Ｘと横方向の余白Ｙに囲まれており、第二葉片２上方の横方向の余白Ｙにセンサの読取用マークＭが印刷されている。
なお切り落とし用のミシン模様１１は図面の複雑化を避けるため省略している。【００３９】  既述の構成の枚葉シートＳ２は、図１１に示す製造工程の最上流の左下の用紙載せ台６０上に載置される。そして最上面の枚葉シートＳ２から順に等間隔で吸着パッド６１からなる給紙装置（静電ベルト、フィードローラ等でも構わない）により右側の搬送テーブル上に繰り出され、右側に配置されている一対のニップローラ６２ａ、６２ｂによりさらに右側に配置されている一対のヒートローラ６３ａ、６３ｂからなる被覆装置へ送り込まれる。【００４０】  前記被覆装置では、上方及び下方に配置されている完全接着フィルムシートＫ及び疑似接着フィルムシートＧが繰り出され、図１２（Ａ）及び（Ｂ）に示すように、それぞれ完全接着予定面及び疑似接着予定面に整合され被覆される。そして完全接着フィルムシートＫ及び疑似接着フィルムシートＧが被覆された枚葉シートＳ２は、右側のバックアップローラ６５上に並列に配置されているスリット刃６４ａ、及び折りミシン刃６４ｂからなる、切除及び折り手段形成装置へ送られる。【００４１】  前記切除及び折り手段形成装置では図１３（Ａ）及び（Ｂ）に示すように、単位郵便はがきシートｔ１の両外側の縦方向の余白Ｘが切除されると共に縦方向の折り線５に折りミシンが形成される。そして右側に配置された一対のニップローラ６６ａ、６６ｂによりさらに右側に配置されている第一の折り畳み装置へと送り込まれる。【００４２】  前記第一の折り畳み装置では、下方のサポートローラ６７から上方のサポートローラ６８に引き上げられるまでに、図示されないガイド板やガイドバーにより図１４（Ａ）及び（Ｂ）に示すように、縦方向の折り線５から第一葉片１と第二葉片２及び第三葉片３と第四葉片４がそれぞれ対向するように二つ折りに折り畳まれる。そして上方のサポートローラ６８で略水平に向きを変えると、引き続き図６に示すように、右側に配置されているニップローラ４９ａ、４９ｂによりさらに右側に配置されている断裁刃５１ａ、固定刃５１ｂからなる断裁装置へ送り込まれる。【００４３】  前記断裁装置では図１４（Ａ）に示すように、通過する単位郵便はがきシートｔ１に記載された読取マークＭをセンサ５０が読み取ると、移動距離のカウントを開始し切取線Ｌ１を断裁する。そして引き続き前記移動距離のカウントは行われ切取線Ｌ２を断裁して個別の単位郵便はがきシートｔ１が切り出される。この動作は後続の単位郵便はがきシートｔ１でも行われ、このようにして単位郵便はがきシートｔ１が順次切り出されるのである。そして既述の通り個別に切り出された単位郵便はがきシートｔ１は、図６に示す右側の折りローラ５２ａ、５２ｂ、５２ｃと折りトレー５３からなる第二の折り畳み装置へ送り込まれる。【００４４】  前記第二の折り畳み装置では、折りローラ５２ａ、５２ｂにより折りトレー５３内に送り込まれた単位郵便はがきシートｔ１はストッパ５４に当たると停止し、次に折りローラ５２ｂ、５２ｃにより折り線７から銜え込まれると二つ折りに折り畳まれて図１（Ａ）、（Ｂ）及び（Ｃ）の状態になり、さらに右側に配置されている一対の搬送ローラ５５ａ、５５ｂと上下一対のヒータパネル５６ａ、５６ｂが交互に配置されると共に、排出口に一対の加圧ローラ５７ａ、５７ｂが設けられた接着装置へと送り込まれる。【００４５】  前記接着装置では、ヒータパネル５６ａ、５６ｂ間を通過する単位郵便はがきシートｔ１は十分加熱されると共に一対の加圧ローラ５７ａ、５７ｂにより加圧されて排出される。前記加熱・加圧処理により図１（Ｂ）及び（Ｃ）に示す第一葉片１と第二葉片２及び第四葉片４と第三葉片３間で対向する疑似接着フィルムシートＧ同士が剥離可能に接着され、同時に第二葉片２と第四葉片４間で対向する完全接着フィルムシートＫ同士が剥離不能に接着される。このようにして完成された製本型郵便はがきＪ１は、接着装置の右に配置されているベルトコンベア等からなるスタッカ５８に落とし込まれて順次積載された後に郵便はがきとして投函される。
【実施例４】
【００４６】［製本型郵便はがきＪ２］
図１５（Ａ）、（Ｂ）及び（Ｃ）に示すように、本発明の製本型郵便はがきＪ２は上から第一葉片２１、第二葉片２２、第四葉片２４及び第三葉片２３が折り線２５（折りミシンが形成されているが必ずしも必要としない）及び折り線２７（折りミシンが形成されているが必ずしも必要としない）から折り畳まれ重ねられている。なお各葉片の横幅はほぼ同じであるが、縦幅の関係は第一葉片２１≒第二葉片２２＜第三葉片２３≒第四葉片２４である。そして第一葉片２１と第二葉片２２及び第四葉片２４と第三葉片２３は疑似接着フィルムシートＧを介して剥離可能に接着されており、また第二葉片２２と第四葉片２４は完全接着フィルムシートＫにより剥離不能に接着されている。なお前記完全接着フィルムシートＫは折り線２５（折りミシンが形成されているが必ずしも必要としない）をまたいで第一葉片２１及び第三葉片２３側へ回り込むように被覆されている。【００４７】  本実施例の製本型郵便はがきＪ２は図１５（Ａ）、（Ｃ）及び図１６（Ａ）、（Ｂ）に示すように、第一葉片２１及び第二葉片２２の縦幅が第四葉片２４及び第三葉片２３より狭く設計されている。そして上側縁辺に形成される段差に表出する第四葉片２４の表面に、「郵便はがき」或いはそれに準じる文言が視認可能な状態で記載されている。また、第一葉片２１と第三葉片２３が下側縁辺において折り線２７（折りミシンが形成されているが必ずしも必要としない）で連接されており、製本型はがきＪ２の下側縁辺を包み込むように封緘している。【００４８】  この製本型郵便はがきＪ２の受取人は図１６（Ｂ）に示すように、下側縁辺に沿って記載されている切取落し用のミシン模様３１に従い、例えば鋏やカッター等の切除道具を用いて切り落とす（予め切り落とされていても構わない）。そして図１７に示すように中央の郵便はがき本体（第二葉片２２及び第四葉片２４）から第一葉片２１及び第三葉片２３を剥離して見開き状態に展開することができるのである。剥離展開後は内部に隠されていた状態を透明或いは半透明の疑似接着フィルムシートＧを透して視認することができる。
【実施例５】
【００４９】［製本型郵便はがきＪ２の長尺シートＳ３による製造方法］
図１８（Ａ）及び（Ｂ）は本実施例の製本型郵便はがきＪ２を長尺シートにより製造する際に使用する長尺シートＳ３で、第一葉片２１及び第二葉片２２が縦方向の折り線２５を介して横方向に連接されると共に、下方に同様の状態で連接されている第三葉片２３及び第四葉片２４が横方向の折り線２７（折りミシンが形成されているが必ずしも必要としない）を介して上下の配置で連接されて単位郵便はがきシートｔ２を形成している。なお各葉片の横幅はほぼ同じであるが、縦幅の関係は第一葉片２１≒第二葉片２２＜第三葉片２３≒第四葉片２である。
そして前記単位郵便はがきシートｔ２は両外側に切取線２８を介して複数のマージナル孔２９が設けられたマージナル部分３０を連接した状態で、天地の横方向の切取線２６を介して縦方向に連接されている。
なお切り落とし用のミシン模様３１は図面の複雑化を避けるため省略している。【００５０】  既述の構成の長尺シートＳ３は、例えば切取線２６（折りミシンを形成しておいても構わない）から蛇腹状に折り畳まれてブロック状態となり、図５に示す製造工程最上流の左下の用紙載せ台４０上に載置される。そして最上面の単位郵便はがきシートｔ２から順に上方のサポートローラ４１へ引き上げられると略水平に向きを変えて、右側に配置されているピントラクタ４２のピンとマージナル孔２９を嵌合させ、更に右側に配置された一対のヒートローラ４３ａ、４３ｂからなる被覆装置へと送り込まれる。【００５１】  前記被覆装置では、上方及び下方に配置されている完全接着フィルムシートＫ及び疑似接着フィルムシートＧが繰り出され、図１９（Ａ）及び（Ｂ）に示すように、それぞれ完全接着予定面及び疑似接着予定面に整合され被覆される。そして完全接着フィルムシートＫ及び疑似接着フィルムシートＧが被覆された長尺シートＳ３は、右側のバックアップローラ４５上に並列に配置されているスリット刃４４ａ及び折りミシン刃４４ｂからなる、切除及び折り手段形成装置へ送られる。【００５２】  前記切除及び折り手段形成装置では図２０（Ａ）及び（Ｂ）に示すように、長尺シートＳ３の両外側のマージナル部分３０が切除されると共に縦方向の折り線２５に折りミシンが形成される。そして右側に配置された一対のニップローラ４６ａ、４６ｂによりさらに右側に配置されている第一の折り畳み装置へと送り込まれる。【００５３】  前記第一の折り畳み装置では、下方のサポートローラ４７から上方のサポートローラ４８に引き上げられるまでに、図示されないガイド板やガイドバーにより図２１（Ａ）及び（Ｂ）に示すように、縦方向の折り線２５から第一葉片２１と第二葉片２２及び第三葉片２３と第四葉片２４が対向するように二つ折りに折り畳まれる。そして上方のサポートローラ４８で略水平に向きを変えると、引き続き図６に示すように、右側に配置されている一対のニップローラ４９ａ、４９ｂによりさらに右側に配置されている断裁刃５１ａと固定刃５１ｂからなる断裁装置へ送り込まれる。【００５４】  前記断裁装置では図２１（Ａ）に示すように、通過する単位郵便はがきシートｔ２に記載された読取マークＭをセンサ５０が読み取ると、移動距離のカウントを開始し最初の切取線２６を断裁する。そして引き続き前記移動距離のカウントは行われ次の切取線２６を断裁して個別の単位郵便はがきシートｔ２が切り出される。この動作は後続の単位郵便はがきシートｔ２でも行われ、このようにして順次単位郵便はがきシートｔ２が順次切り出されるのである。そして既述の通り個別に切り出された単位郵便はがきシートｔ２は、右側の折りローラ５２ａ、５２ｂ、５２ｃと折りトレー５３からなる第二の折り畳み装置へ送り込まれる。【００５５】  前記第二の折り畳み装置では、折りローラ５２ａ５２ｂにより折りトレー５３内に送り込まれた単位郵便はがきシートｔ２はストッパ５４に当たると停止し、次に折りローラ５２ｂ、５２ｃにより折り線２７から銜え込まれると、二つ折りに折り畳まれて図１５（Ａ）、（Ｂ）及び（Ｃ）の状態になり、右側に配置されている一対の搬送ローラ５５ａ、５５ｂと上下一対のヒータパネル５６ａ、５６ｂが交互に配置されると共に、排出口に一対の加圧ローラ５７ａ、５７ｂが設けられた接着装置へと送り込まれる。【００５６】  前記接着装置では、ヒータパネル５６ａ、５６ｂ間を通過する単位郵便はがきシートｔ２は十分加熱され排出に際して一対の加圧ローラ５７ａ、５７ｂにより加圧される。前記加熱・加圧処理により図１５（Ｂ）及び（Ｃ）に示す第一葉片２１と第二葉片２２間及び第四葉片２４と第三葉片２３間で対向する疑似接着フィルムシートＧ同士が剥離可能に接着されると共に、第二葉片２２と第四葉片２４間で対向する完全接着フィルムシートＫ同士が剥離不能に接着される。そして各種接着が完了して完成品となった製本型郵便はがきＪ２はベルトコンベア等からなるスタッカ５８に落とし込まれて順次集積された後に郵便はがきとして投函されるのである。
【実施例６】
【００５７】［製本型郵便はがきＪ２の枚葉シートＳ４による製造方法］
図２２（Ａ）及び（Ｂ）は本実施例の製本型郵便はがきＪ２を枚葉シートにより製造する際に使用する枚葉シートＳ４で、第一葉片２１及び第二葉片２２が縦方向の折り線２５を介して横方向に連接されると共に、下方に同様の状態で連接されている第三葉片２３及び第四葉片２４が横方向の折り線２７（折りミシンが形成されているが必ずしも必要としない）を介して上下の配置で連接されて単位郵便はがきシートｔ２を形成している。なお各葉片の横幅はほぼ同じであるが、縦幅の関係は第一葉片２１≒第二葉片２２＜第三葉片２３≒第四葉片２である。そして前記単位郵便はがき用紙ｔ２は、その周囲が縦方向の余白Ｘと横方向の余白Ｙに囲まれており、第二葉片２２上方の横方向の余白Ｙにセンサの読取用マークＭが印刷されている。
なお切り落とし用のミシン模様３１は図面の複雑化を避けるため省略している。【００５８】  既述の構成の枚葉シートＳ４は、図１１に示す製造工程の最上流の左下の用紙載せ台６０上に載置される。そして最上面の枚葉シートＳ４から順に等間隔で吸着パッド６１からなる給紙装置（静電ベルトやフィードローラ等でも構わない）により右側の搬送テーブル上に繰り出され、右側に配置されている一対のニップローラ６２ａ、６２ｂによりさらに右側に配置されている一対のヒートローラ６３ａ、６３ｂからなる被覆装置へ送り込まれる。【００５９】  前記被覆装置では、上方及び下方に配置されている完全接着フィルムシートＫ及び疑似接着フィルムシートＧが繰り出され、図２３（Ａ）及び（Ｂ）に示すように、それぞれ完全接着予定面及び疑似接着予定面に整合され被覆される。そして完全接着フィルムシートＫ及び疑似接着フィルムシートＧが被覆された枚葉シートＳ４は、右側のバックアップローラ６５上に並列に配置されているスリット刃６４ａ、及び折りミシン刃６４ｂからなる、切除及び折り手段形成装置へ送られる。【００６０】  前記切除及び折り手段形成装置では図２４（Ａ）及び（Ｂ）に示すように、単位郵便はがきシートｔ２の両外側の縦方向の余白Ｘが切除されると共に縦方向の折り線２５に折りミシンが形成される。そして右側に配置された一対のニップローラ６６ａ、６６ｂによりさらに右側に配置されている第一の折り畳み装置へと送り込まれる。【００６１】  前記第一の折り畳み装置では、下方のサポートローラ６７から上方のサポートローラ６８に引き上げられるまでに、図示されないガイド板やガイドバーにより図２５（Ａ）及び（Ｂ）に示すように、縦方向の折り線２５から第一葉片２１と第二葉片２２及び第三葉片２３と第四葉片２４がそれぞれ対向するように二つ折りに折り畳まれる。そして上方のサポートローラ６８で略水平に向きを変えると、引き続き図６に示すように、右側に配置されているニップローラ４９ａ、４９ｂにより、さらに右側に配置されている断裁刃５１ａ、固定刃５１ｂからなる断裁装置へ送り込まれる。【００６２】  前記断裁装置では図２５（Ａ）に示すように、通過する単位郵便はがきシートｔ２に記載された読取マークＭをセンサ５０が読み取ると、移動距離のカウントを開始し切取線Ｌ１を断裁する。そして引き続き前記移動距離のカウントは行われ切取線Ｌ２を断裁して個別の単位郵便はがきシートｔ２が切り出される。この動作は後続の単位郵便はがきシートｔ２でも行われ、このようにして順次単位郵便はがきシートｔ２が順次切り出されるのである。そして既述の通り個別に切り出された単位郵便はがきシートｔ２は、図６に示す右側の折りローラ５２ａ、５２ｂ、５２ｃと折りトレー５３からなる第二の折り畳み装置へ送り込まれる。【００６３】  前記第二の折り畳み装置では、折りローラ５２ａ、５２ｂにより折りトレー５３内に送り込まれた単位郵便はがきシートｔ２はストッパ５４に当たると停止し、次に折りローラ５２ｂ、５２ｃにより折り線２７から銜え込まれると二つ折りに折り畳まれて図１５（Ａ）、（Ｂ）及び（Ｃ）の状態になり、さらに右側に配置されている一対の搬送ローラ５５ａ、５５ｂと上下一対のヒータパネル５６ａ、５６ｂが交互に配置されると共に、排出口に一対の加圧ローラ５７ａ、５７ｂが設けられた接着装置へと送り込まれる。【００６４】  前記接着装置では、ヒータパネル５６ａ、５６ｂ間を通過する単位郵便はがきシートｔ２は十分加熱され一対の加圧ローラ５７ａ、５７ｂにより加圧されて排出される。前記加熱・加圧処理により図１５（Ｂ）及び（Ｃ）に示す第一葉片２１と第二葉片２２及び第四葉片２４と第三葉片２３間で対向する疑似接着フィルムシートＧ同士が剥離可能に接着され、同時に第二葉片２２と第四葉片２４間で対向する完全接着フィルムシートＫ同士が剥離不能に接着される。このようにして完成された製本型郵便はがきＪ２は、接着装置の右に配置されているベルトコンベア等からなるスタッカ５８に落とし込まれて順次積載された後に郵便はがきとして投函される。
【実施例７】
【００６５】［疑似接着手段が先糊方式による製本型郵便はがきＪ１、Ｊ２の製造方法］
前記製本型郵便はがきＪ１、Ｊ２の製造方法では、疑似接着手段に疑似接着フィルムシートを用いているが、本実施例は先糊方式の疑似接着手段による各製本型郵便はがきの製造方法を説明する。使用されるシートは長尺シートＳ１、Ｓ３或いは枚葉シートＳ２、Ｓ４の何れでも構わず、印刷前のシートの段階で疑似接着手段や完全接着手段が印刷予定部分に形成されていることが特徴である。そして前記各種手段が形成されているシートに後から各種情報が印刷され単位シートが形成されるのである。【００６６】  前記単位シートが形成されたシートが長尺シートＳ１、Ｓ３の場合、次に折り畳み工程へと送り込まれ、折り畳まれた後に単位シート毎に切り出される。そして切り出された単位シートは接着工程へ送り込まれ加圧工程を経て完成品となるのである。【００６７】  また前記単位シートが形成されたシートが枚葉シートＳ２、Ｓ４の場合、単位シートに切り出された後に折り畳み工程へと送り込まれ、折り畳み後接着工程へ送り込まれ加圧或いは加熱・加圧工程を経て完成品となるのである。【００６８】  長尺シートＳ１、Ｓ３或いは枚葉シートＳ２、Ｓ４の何れの場合も折り畳み工程と切り出し工程を任意に入れ替えて構わない。また何れの場合も必ずしも連続したラインにより製造される必要はなく、印刷工程、接着手段の形成工程、切り出し工程、折り畳み工程、接着工程等の各工程がオフラインにより実行され、別々の異なる加工機械でそれぞれ行われても構わない。
【実施例８】
【００６９】［疑似接着手段が後糊方式による製本型郵便はがきＪ１、Ｊ２の製造方法］
次に後糊方式の疑似接着手段による各製本型郵便はがきの製造方法を説明する。使用されるシートは長尺シートＳ１、Ｓ３或いは枚葉シートＳ２、Ｓ４の何れでも構わず、単位シートが印刷されたシートに疑似接着手段や完全接着手段を疑似接着予定面と完全接着予定面にそれぞれ形成することが特徴である。【００７０】  前記単位シートが形成されたシートが長尺シートＳ１、Ｓ３の場合、各種接着手段を形成した後に折り畳み工程へと送り込まれ、折り畳まれた後に単位シート毎に切り出される。そして切り出された単位シートは接着工程へ送り込まれ加圧或いは加熱・加圧処理を施されて完成品となるのである。【００７１】  また前記単位シートが形成されたシートが枚葉シートＳ２、Ｓ４の場合、各種接着手段を形成した後に単位シートに切り出され、その後折り畳み工程へと送り込まれ、最後に接着工程で加圧或いは加熱・加圧処理を施されて完成品となるのである。【００７２】  長尺シート或いは枚葉シートの何れも折り畳み工程と切り出し工程を任意に入れ替えて構わない。また何れの場合も必ずしも連続したラインにより製造される必要はなく、印刷工程、接着手段の形成工程、切り出し工程、折り畳み工程、接着工程等の各工程がオフラインにより実行され、別々の異なる加工機械でそれぞれ行われても構わない。【００７３】  なお、本発明は、前記実施例に限られるものではない。
例えば、切り落とし用のミシン模様１１及び３１に該当する位置に切り落としミシンを形成しておいて、受取人が鋏やカッター等の切除道具を使用せず手で破断できるように設計しても構わない。
また前記ミシン模様１１及び３１から切除した状態で（図２〔Ｂ〕、図１６〔Ｂ〕参照）投函し、受取人の開封作業を省略するようにしておいても構わない。【００７４】  さらに、２葉片を連接している折り線をまたいで被覆している疑似接着フィルムシートＧは、折り線をまたがずに葉片毎に分けて被覆しても構わない。
また、本実施例では完全接着フィルムシートＫが折り線を越えて被覆されているが、これは折り返し際まで確実に接着するための配置であり必ずしも必要とするものではなく、折り線上或いは折り線手前迄を被覆するように変更しても構わない。
さらにまた、疑似接着フィルムシートＧ及び完全接着フィルムシートＫは必ずしも１枚で１葉片を被覆する必要はなく、幅の狭いフィルムシートを２枚以上並べ、所定面を埋めるようにしても構わない。なお、前記疑似接着フィルムシートＧ及び完全接着フィルムシートＫの被覆域については、それ以外の疑似接着手段及び完全接着手においても同様である。【００７５】  また、本実施例では、左縁辺から開封する設計であるが、右縁辺から開封するように設計変更しても構わない。
【符号の説明】
【００７６】Ｊ１、Ｊ２  製本型郵便はがき
Ｓ１、Ｓ３  長尺シート
Ｓ２、Ｓ４  枚葉シート
ｔ１、ｔ２  単位郵便はがきシート
Ｋ  完全接着フィルムシート
Ｇ  疑似接着フィルムシート
Ｘ  縦方向の余白
Ｙ  横方向の余白
Ｍ  マーク
Ｌ１、Ｌ２  辺
１、２、３、４、２１、２２、２３、２４  葉片
５、７、２５、２７  折り線
６、８、２６、２８  切取線
９、２９  マージナル孔
１０、３０  マージナル部分
１１、３１  ミシン模様
４０、６０  用紙載せ台
４１、４７、４８、６７、６８  サポートローラ
４２  ピントラクタ
４３ａ、４３ｂ、６３ａ、６３ｂ  ヒートローラ
４４ａ、６４ａ  スリット刃
４４ｂ、６４ｂ  ミシン刃
４５、６５  バックアップローラ
４６ａ、４６ｂ、４９ａ、４９ｂ、６２ａ、６２ｂ、６６ａ、６６ｂ  ニップローラ
５５ａ、５５ｂ  搬送ローラ
５６ａ、５６ｂ  ヒータパネル
５７ａ、５７ｂ  加圧ローラ
５２ａ、５２ｂ、５２ｃ  折りローラ
５３  折りトレー
５４  ストッパ
５８  スタッカ
５０  センサ
５１ａ  断裁刃
５１ｂ  固定刃
６１  吸着パッド
【図１】
2019034538.tif 000003
【図２】
2019034538.tif 000004
【図３】
2019034538.tif 000005
【図４】
2019034538.tif 000006
【図５】
2019034538.tif 000007
【図６】
2019034538.tif 000008
【図７】
2019034538.tif 000009
【図８】
2019034538.tif 000010
【図９】
2019034538.tif 000011
【図１０】
2019034538.tif 000012
【図１１】
2019034538.tif 000013
【図１２】
2019034538.tif 000014
【図１３】
2019034538.tif 000015
【図１４】
2019034538.tif 000016
【図１５】
2019034538.tif 000017
【図１６】
2019034538.tif 000018
【図１７】
2019034538.tif 000019
【図１８】
2019034538.tif 000020
【図１９】
2019034538.tif 000021
【図２０】
2019034538.tif 000022
【図２１】
2019034538.tif 000023
【図２２】
2019034538.tif 000024
【図２３】
2019034538.tif 000025
【図２４】
2019034538.tif 000026
【図２５】
2019034538.tif 000027